(57)【要約】【課題】気密状態にすることが容易な口紅等の繰り出し容器。【解決手段】繰り出し容器１がボディー２とキャップ３とからなる。キャップ３は外側キャップ１１と内側キャップ１２とを有し、内側キャップ１２には小径部５１と大径部５２とが形成され、これら両部が水平面５３を介してつながっている。ボディー２に形成されたストッパー手段６０が水平面５３に下方から当接すると、キャップ３の外側キャップ１１の下端１１ａとボディー２における最外側部材２４の上端２４ｂとが所要寸法ＣＬだけ離間する。【選択図】　　　図２
2004033294.tif 000002
【特許請求の範囲】
【請求項１】
上下方向と前記上下方向に直交する径方向とを有し、棒状物品を上方向に形成された開口から繰り出し可能なボディーと、前記ボディーに前記上方向からかぶさる取り外し可能なキャップとからなり、前記ボディーが前記上下方向へ垂直に延びる中心軸を共有するように外側から内側へ向かって順に配置された複数の筒状部材を有し、前記筒状部材のうちのいずれか１つを固定して、残余の部材のうちのいずれかを前記中心軸の周りに回動せしめると、前記内側の部材のうちで最内側に位置する部材に取り付けられた前記棒状物品が前記最内側の部材とともに前記上下方向へ動いて前記開口から前記棒状物品を繰り出し可能な容器において、
前記キャップが外側キャップと、前記外側キャップに取り外し不能に納まる内側キャップとからなり、前記内側キャップの上方には内径が小さい小径部が形成される一方、下方には内径が大きい大径部が形成され、これら小径部と大径部とが前記中心軸に直交する水平面を介してつながっており、
前記筒状部材のうちの最外側の部材には、この部材に隣接する前記筒状部材との間に位置して前記最外側の部材の上端よりも前記上方向へ延び、前記内側キャップの内側へ離脱可能に進入する筒状のストッパー手段が設けられ、前記ストッパー手段は、その外周面の少なくとも一部分が前記大径部の内周面の少なくとも一部分に前記上下方向へ摺動可能に形成され、かつ該ストッパー手段の上端が前記水平面に下方から当接可能に形成されており、
前記ストッパー手段の上端と前記水平面とが当接した状態において、前記外側キャップの下端と前記最外側の部材の上端とが前記上下方向へ所要寸法だけ離間していることを特徴とする前記繰り出し容器。
【請求項２】
前記最外側の部材と前記外側キャップとの径方向断面形状が実質的な多角形を成している請求項１記載の繰り出し容器。
【請求項３】
前記内側キャップの前記小径部は、前記水平面の近傍が前記上下方向において弾性変形可能に形成されている請求項１または２記載の繰り出し容器。
【請求項４】
前記ストッパー手段の上端と前記内側キャップの水平面とが気密状態で密着可能である請求項１〜３のいずれかに記載の繰り出し容器。
【発明の詳細な説明】
【０００１】
【発明の属する技術分野】
この発明は、口紅等の棒状物品を繰り出し可能に納めることができる容器に関する。
【０００２】
【従来の技術】
従来、この種繰り出し容器であって、棒状物品を繰り出し可能に納めるボディーと、そのボディーに取り外し可能にかぶさるキャップとからなるものはよく知られている。
【０００３】
【発明が解決しようとする課題】
前記棒状物品が揮発性分を含む場合には、ボディーの外周面に摺動可能に密着して容器を気密状態に保つことが可能なキャップが使用される。ボディーの径方向断面形状が円形や楕円形である場合には、ボディーとキャップとを気密状態となるように密着させることが比較的容易であるが、その断面形状が矩形等の多角形である場合には、気密状態となるように密着させることが必ずしも容易ではない。
【０００４】
この発明では、ボディーとキャップとの断面形状が多角形である場合にも繰り出し容器を気密状態にすることが容易となるように、従来の繰り出し容器に改良を施すことが課題である。
【０００５】
【課題を解決するための手段】
前記課題解決のために、この発明が対象とするのは、上下方向と前記上下方向に直交する径方向とを有し、棒状物品を上方向に形成された開口から繰り出し可能なボディーと、前記ボディーに前記上方向からかぶさる取り外し可能なキャップとからなり、前記ボディーが前記上下方向へ垂直に延びる中心軸を共有するように外側から内側へ向かって順に配置された複数の筒状部材を有し、前記筒状部材のうちのいずれか１つを固定して、残余の部材のうちのいずれかを前記中心軸の周りに回動せしめると前記内側の部材のうちで最内側に位置する部材に取り付けられた前記棒状物品が前記最内側の部材とともに前記上下方向へ動いて前記開口から前記棒状物品を繰り出し可能な容器である。
【０００６】
かかる繰り出し容器において、この発明が特徴とするところは、次のとおりである。前記キャップが外側キャップと、前記外側キャップに取り外し不能に納まる内側キャップとからなる。前記内側キャップの上方には内径が小さい小径部が形成される一方、下方には内径が大きい大径部が形成され、これら小径部と大径部とが前記中心軸に直交する水平面を介してつながっている。前記筒状部材のうちの最外側の部材には、この部材に隣接する前記筒状部材との間に位置して前記最外側の部材の上端よりも前記上方向へ延び、前記内側キャップの内側へ離脱可能に進入する筒状のストッパー手段が設けられる。前記ストッパー手段は、その外周面の少なくとも一部分が前記大径部の内周面の少なくとも一部分に前記上下方向へ摺動可能に形成され、かつ該ストッパー手段の上端が前記水平面に下方から当接可能に形成されている。前記ストッパー手段の上端と前記水平面とが当接した状態において、前記外側キャップの下端と前記最外側の部材の上端とが前記上下方向へ所要寸法だけ離間している。
【０００７】
この発明には、次のような好ましい実施態様がある。
（１）前記最外側の部材と前記外側キャップとの径方向断面形状が実質的な多角形を成している。
（２）前記内側キャップの前記小径部は、前記水平面の近傍が前記上下方向において弾性変形可能に形成されている。
（３）前記ストッパー手段の上端と前記内側キャップの水平面とが気密状態で密着可能である。
【０００８】
【発明の実施の形態】
添付の図面を参照し、この発明に係る棒状物品の繰り出し容器として口紅容器を例にとり、その詳細を説明すると、以下のとおりである。
【０００９】
図１，２は、口紅容器１の斜視図と、図１のＩＩ−ＩＩ線断面図である。容器１は、図の上下方向へ長く延びた中心軸Ｃ−Ｃを有する角筒状に形成されており、ボディー２と、ボディー２に上方からかぶせられる取り外し可能なキャップ３とを有する。ボディー２は、キャップ３を外した後に外筒２３を指先で抑えながら操作筒２４を矢印Ｐ方向へ回動させると、外筒２３の頂部開口３４から、仮想線で示される口紅Ｌ（図３参照）を繰り出すことができ、矢印Ｐとは反対の方向へ回動させると口紅Ｌを繰り入れることができる。ボディー２とキャップ３との断面形状の外形は、ほぼ同じに作られている。
【００１０】
図３は、図２と同様な断面図であるが、ボディー２はキャップ３が外された状態にあり、また、口紅Ｌが仮想線で示されている。
【００１１】
図１，２において、キャップ３は、外側キャップ１１と内側キャップ１２とからなり、内側キャップ１２は外側キャップ１１の内側へ所定の深さにまで下方から挿入され、抜け落ちることがないように内側キャップ１２の外周面が外側キャップ１１の内周面に対して固定されている。外側キャップ１１の径方向断面形状は、内外ともに矩形であって、上下方向において実質的に変化することがなく、内径と外径とは一定している。かような外側キャップ１１は、金属や熱可塑性合成樹脂によって形成される。内側キャップ１２の径方向断面は、外側キャップ１１の内面の一部に密着可能な外部形状と、円形の内部形状とを有する。内側キャップ１２の上下方向において、その内部形状は小さな内径Ｎを有する上部５１と、上部５１よりも内径が拡大しており大きな内径Ｍを有する下部５２とに分かれ、これら上部５１の下端と下部５２の上端とが中心軸Ｃ−Ｃと直交する方向へ広がる水平面５３を介してつながっている。なお、下部５２は、第１拡径部５６と第２拡径部５７と第３拡径部５８とを有し、これら拡径部は下方のものほど内径Ｍが大きくなる。
【００１２】
第１、第３拡径部５６，５８は、ほぼ垂直に上下方向へ延びる内周面５６ａ，５８ａを有し、第２拡径部５７は、内側から外側へ向かって下り勾配の傾斜した内周面５７ａを有する。第１拡径部５６の内周面５６ａの上下方向における一部分には内側から外側へ向かってへこむラッチ係合凹部５９（図４参照）が形成されている。かような内側キャップ１２は、熱可塑性合成樹脂によって形成される。
【００１３】
ボディー２は、中心軸Ｃ−Ｃを共有するように外側から内側へ向かって順に配置された複数の筒状体からなるもので、最外側には底部２４ａを有する操作筒２４が位置し、最内側には口紅Ｌ（図３参照）が取り付けられた可動部材２１が位置している。操作部材２４の内側には、外筒２３と内筒２２とが順に並んでいる。これら可動部材２１、内筒２２および外筒２３は、径方向の断面形状が内外ともに実質的な円形を成している。
【００１４】
操作筒２４と外筒２３との間には、ストッパー部材６０が設けられている。ストッパー部材６０は、下方部分６１の断面形状が内外共に矩形であって、上方部分６２の断面形状が内外共に円形であり、その下方部分６１は操作筒２４の内面に固定されている。上方部分６２の内周面６３は、外筒２３の外周面に接近または周方向ヘ摺動可能に接触している。上方部分６２の外周面６４には、内側から外側へ向かって隆起し、内側キャップ１２の第１拡径部５６に上下方向ヘ摺動可能なラッチ係合凸部５５が形成され、この凸部５５が第１拡径部５６における凹部５９に離脱可能にラッチ係合している。上方部分６２の上端６６は、内側キャップ１２の水平面５３に下方から密着している。これら上端６６と水平面５３との密着は、内側キャップ１２の全周に及んでおり、内側キャップ１２と操作筒２４との内側は気密状態に保たれている。
【００１５】
操作筒２４に隣接してその内側に位置する外筒２３は、第１外筒３１とその内周面に嵌合し固定された第２外筒３２とからなり、第１外筒３１の頂部には開口３４が形成されている。第２外筒３２は、上下が開口しているもので、内周面には２条の螺旋溝３３が形成されている。外筒２３の内側に位置する内筒２２は、頂部開口３７を有し、底部外周面２２ａが操作筒２４の内側に設けられた支持台２７に固定され、その支持台２７が操作筒２４に固定されている。内筒２２の周壁３９には、互いに対向して上下方向へ延びる２条の案内用スリット（図示せず）が形成されている。周壁３９における下方部分の外周面にはスプリング部材２９があって、この部材２９が第２外筒３２を下から支え、それによって外筒２３と内筒２２とがそれらの周り方向ヘ互いに摺動可能な状態にある。
【００１６】
図３で明らかなように、内筒２２の内側には、口紅Ｌが取り付けられる円筒状可動部材２１が設けられている。可動部材２１は、径方向において互いに反対側ヘ延出する一対の腕部２１ａを有し、これら腕部２１ａの先端部分が内筒２２の案内用スリットを通り抜けて第２外筒３２の螺旋溝３３に納まっている。
【００１７】
かような繰り出し容器１は、ボディー２からキャップ３をはずし、外筒２３を指先でおさえる一方、操作筒２４を図１の矢印Ｐ方向へ回動させると、操作筒２４に固定されている内筒２２、支持台２７及びストッパー部材６０が操作筒２４とともに回動して、内筒２２が口紅Ｌの取り付けられている可動部材２１を腕部２１ａにおいて矢印Ｐ方向ヘ押すので、その腕部２１ａが第２外筒３２の螺旋溝３３を昇り、口紅Ｌが内筒２２の頂部開口３７と第１外筒３１の頂部開口３４とを通り、ボディー２の外へのぞく。
【００１８】
図１，２の状態にある繰り出し容器１では、ストッパー部材６０の上端６６が内側キャップ１２の水平面５３に下方から当接することによって気密状態となるので、口紅Ｌの成分の揮散を防止することができる。かような容器１では、ボディー２とキャップ３とを互いに周面どうしで密着させることが必ずしも必要ではないから、これら両者を製造するときに径方向の寸法管理幅を広くして、その製造を容易にすることができる。また、容器１が図示例のような矩形または多角形の断面形状を有するものである場合に、ボディー２とキャップ３とを周面の角部において気密状態となるように密着させる必要がないので、その意味においても容器１の製造が容易になる。さらにはまた、ボディー２とキャップ３とは、ストッパー部材６０の上下方向の寸法の如何によって、操作筒２４の上端２４ｂと外側キャップ１１の下端１１ａとのクリアランスＣＬを様々に変化させて容器１の外観にバラエティーをもたせることができる。
【００１９】
図４は、実施態様の一例を示す図２の部分拡大図である。この場合の容器１における内側キャップ１２の水平面５３は、プラスチックエラストマー等の柔軟弾性部材５５によって形成され、ストッパー部材６０の上端６６がこの柔軟弾性部材５５に当接している。このような内側キャップ１２を使用することによって、ボディー２とキャップ３との気密性を高めることができる。
【００２０】
図５もまた、実施態様の一例を示す図２の部分拡大図である。この例における内側キャップ１２の上部５１には、水平面５３の近傍に水平面５３に平行して内側キャップ１２の内側を一周する溝７１が形成され、溝７１と水平面５３との間に薄肉部７２が形成されている。薄肉部７２は上下方向ヘ弾性変形可能で、ストッパー部材６０の上端６６と弾性変形下に密着する。
【００２１】
【発明の効果】
この発明に係る棒状物品の繰り出し容器は、キャップの内側に形成した水平面に対してボディーに設けたストッパー部材の上端を当接させて容器内部を気密状態にするから、キャップとボディーとの断面形状が多角形を成す場合にも、繰り出し容器を気密状態にすることが容易である。
【図面の簡単な説明】
【図１】繰り出し容器の斜視図。
【図２】図１のＩＩ−ＩＩ線断面図。
【図３】キャップを外した状態にあるボディーの図２と同様の図。
【図４】実施態様の一例を部分的に拡大して示す図２と同様な図。
【図５】実施態様の他の一例を部分的に拡大して示す図２と同様な図。
【符号の説明】
１　　　繰り出し容器
２　　　ボディー
３　　　キャップ
１１　　　外側キャップ
１１ａ　　　下端
１２　　　内側キャップ
２１　　　筒状部材（可動部材）
２２　　　筒状部材（内筒）
２３　　　筒状部材（外筒）
２４　　　筒状部材（操作筒）
２４ｂ　　　上端
３４　　　開口
３７　　　開口
５１　　　小径部（上部）
５２　　　大径部（下部）
５３　　　水平面
６０　　　ストッパー部材
６６　　　上端
Ｃ−Ｃ　　　中心軸
Ｌ　　　棒状物品（口紅）
【図１】
2004033294.tif 000003
【図２】
2004033294.tif 000004
【図３】
2004033294.tif 000005
【図４】
2004033294.tif 000006
【図５】
2004033294.tif 000007